(57)【特許請求の範囲】
【請求項１】
第１の絶縁層の上面に設けられた第１の導体と、前記第１の導体の上面に設けられた第２の絶縁層と、前記第２の絶縁層に設けられた第１のバイア電極と、前記第２の絶縁層の上面に設けられかつ前記第１の導体に前記第１のバイア電極を介して接続されてこの第１の導体とにより第１のコイルを構成する渦巻き状の第２の導体と、前記第２の導体の上面に設けられた第３の絶縁層と、前記第３の絶縁層の上面に設けられた渦巻き状の第３の導体と、前記第３の導体の上面に設けられた第４の絶縁層と、前記第４の絶縁層に設けられた第２のバイア電極と、前記第４の絶縁層の上面に設けられかつ前記第３の導体に前記第２のバイア電極を介して接続されてこの第３の導体とにより第２のコイルを構成する第４の導体と、前記第４の導体の上面に設けられた第５の絶縁層と、前記第１〜第４の導体の各々の一端部にそれぞれ接続された第１〜第４の引出電極とを備え、前記第１の絶縁層および第５の絶縁層を磁性体で構成し、かつ前記第２〜第４の絶縁層を非磁性体で構成するとともに、前記第３の絶縁層において前記第２の導体および第３の導体の渦巻きの内側に貫通孔を形成し、この貫通孔に磁性材料からなる磁性部を複数設け、さらに前記第２の導体の渦巻きの中心部、前記第３の導体の渦巻きの中心部をそれぞれ複数の磁性部に囲まれた部分に位置させたコモンモードノイズフィルタ。
【請求項２】
第１の引出電極および第４の引出電極を、第１の絶縁層または第４の絶縁層の同一面に設けるようにした請求項１記載のコモンモードノイズフィルタ。
【請求項３】
第１〜第４の引出電極のそれぞれの幅を、第１〜第４の導体のそれぞれの幅より広くした請求項１記載のコモンモードノイズフィルタ。
【請求項４】
第１の導体および第４の導体のそれぞれの幅を、第２の導体および第３の導体のそれぞれの幅より広くした請求項１記載のコモンモードノイズフィルタ。
【請求項５】
磁性部と第１、第５の絶縁層とを同じ材料で構成した請求項１記載のコモンモードノイズフィルタ。
【請求項６】
第１の絶縁層の上面に設けられた第１の導体と、前記第１の導体の上面に設けられた第２の絶縁層と、前記第２の絶縁層に設けられた第１のバイア電極と、前記第２の絶縁層の上面に設けられかつ前記第１の導体に前記第１のバイア電極を介して接続されてこの第１の導体とにより第１のコイルを構成する渦巻き状の第２の導体と、前記第２の導体の上面に設けられた第３の絶縁層と、前記第３の絶縁層の上面に設けられた渦巻き状の第３の導体と、前記第３の導体の上面に設けられた第４の絶縁層と、前記第４の絶縁層に設けられた第２のバイア電極と、前記第４の絶縁層の上面に設けられかつ前記第３の導体に前記第２のバイア電極を介して接続されてこの第３の導体とにより第２のコイルを構成する第４の導体と、前記第４の導体の上面に設けられた第５の絶縁層と、前記第１〜第４の導体の各々の一端部にそれぞれ接続された第１〜第４の引出電極とを備え、前記第１の絶縁層および第５の絶縁層を磁性体で構成し、かつ前記第２〜第４の絶縁層を非磁性体で構成するとともに、前記第３の絶縁層において前記第２の導体および第３の導体の渦巻きの内側に貫通孔を形成し、この貫通孔に磁性材料からなる磁性部を複数設け、前記第２、第４の絶縁層の厚みを２０μｍ以下とし、さらに前記第２の導体の渦巻きの中心部、前記第３の導体の渦巻きの中心部をそれぞれ複数の磁性部に囲まれた部分に位置させたコモンモードノイズフィルタ。
【請求項７】
第３の絶縁層の厚みを、第２の絶縁層および第４の絶縁層の厚みより厚くした請求項６記載のコモンモードノイズフィルタ。
【発明の詳細な説明】
【技術分野】
【０００１】
本発明は、各種電子機器に使用される小型で積層型のコモンモードノイズフィルタに関するものである。
【背景技術】
【０００２】
図１０は、従来のコモンモードノイズフィルタの分解斜視図である。
【０００３】
従来のコモンモードノイズフィルタは、図１０に示すように、第１〜第４の絶縁層１ａ〜１ｄの各々の上面にそれぞれ第１〜第４の導体２ａ、２ｂ、３ａ、３ｂを設け、そして第１の導体２ａと渦巻き状の第２の導体２ｂとをバイア電極４ａを介して接続することにより第１のコイル２を形成するとともに、渦巻き状の第３の導体３ａと第４の導体３ｂとをバイア電極４ｂを介して接続することにより第２のコイル３を形成し、さらに第４の導体３ｂの上面に磁性体からなる第５の絶縁層１ｅを設けていた。
【０００４】
また、前記第２の絶縁層１ｂ〜第４の絶縁層１ｄは非磁性体で構成するとともに、この非磁性体で構成された第２の絶縁層１ｂ〜第４の絶縁層１ｄに、渦巻き状の第２の導体２ｂおよび第３の導体３ａの渦巻きの内側に位置する磁性部５をそれぞれ１つ設けていた。
【０００５】
なお、磁性部５は第２の絶縁層１ｂ〜第４の絶縁層１ｄにそれぞれ孔を設けた後、ペースト状の磁性材料を充填、熱硬化することにより形成していた。
【０００６】
上記のような構成とすることにより、第１のコイル２と第２のコイル３の間を交差する磁界を強めて、第１のコイル２と第２のコイル３のコモンモード成分のインピーダンスを大きくし、これにより、コモンモードノイズを除去するようにしていた。
【０００７】
なお、この出願の発明に関連する先行技術文献情報としては、例えば、特許文献１が知られている。
【特許文献１】特開２００１−７６９３０号公報
【発明の開示】
【発明が解決しようとする課題】
【０００８】
上記した従来のコモンモードノイズフィルタにおいては、磁性部５をそれぞれ１つしか設けていないため、磁性部５を設けるための孔の径を大きくする必要があるが、孔の径を大きくすれば充填時においてペースト状の磁性材料は表面張力の影響を受け易いため、磁性部５の充填量が孔の容積よりも小さくなり、これにより、磁性部５の周辺に空間が生じるため、第１のコイル２と第２のコイル３との間を交差する磁界が弱くなり、この結果、第１のコイル２、第２のコイル３のコモンモード成分のインピーダンスを大きくすることができないという課題を有していた。
【０００９】
本発明は上記従来の課題を解決するもので、コモンモード成分のインピーダンスを大きくすることができるコモンモードノイズフィルタを提供することを目的とするものである。
【課題を解決するための手段】
【００１０】
上記目的を達成するために本発明は、第１の絶縁層および第５の絶縁層を磁性体で構成し、かつ第２〜第４の絶縁層を非磁性体で構成するとともに、第３の絶縁層において第２の導体および第３の導体の渦巻きの内側に貫通孔を形成し、この貫通孔に磁性材料からなる磁性部を複数設け、さらに前記第２の導体の渦巻きの中心部、前記第３の導体の渦巻きの中心部をそれぞれ複数の磁性部に囲まれた部分に位置させたもので、磁性部を設けるための孔の径が小さくて済むため、充填時においてペースト状の磁性材料は表面張力の影響を受けにくくなり、これにより、磁性部の充填量が孔の容積とほぼ同じになるため、磁性部の周辺に空間はほとんど生じず、この結果、第１のコイルと第２のコイルとの間を交差する磁界が強くなり、第１のコイル、第２のコイルのコモンモード成分のインピーダンスを大きくすることができる。また、空間がほとんど生じないため、クラックの防止も図ることができるという作用効果が得られるものである。
【発明の効果】
【００１１】
以上のように本発明のコモンモードノイズフィルタは、第１の絶縁層の上面に設けられた第１の導体と、前記第１の導体の上面に設けられた第２の絶縁層と、前記第２の絶縁層に設けられた第１のバイア電極と、前記第２の絶縁層の上面に設けられかつ前記第１の導体に前記第１のバイア電極を介して接続されてこの第１の導体とにより第１のコイルを構成する渦巻き状の第２の導体と、前記第２の導体の上面に設けられた第３の絶縁層と、前記第３の絶縁層の上面に設けられた渦巻き状の第３の導体と、前記第３の導体の上面に設けられた第４の絶縁層と、前記第４の絶縁層に設けられた第２のバイア電極と、前記第４の絶縁層の上面に設けられかつ前記第３の導体に前記第２のバイア電極を介して接続されてこの第３の導体とにより第２のコイルを構成する第４の導体と、前記第４の導体の上面に設けられた第５の絶縁層と、前記第１〜第４の導体の各々の一端部にそれぞれ接続された第１〜第４の引出電極とを備え、前記第１の絶縁層および第５の絶縁層を磁性体で構成し、かつ前記第２〜第４の絶縁層を非磁性体で構成するとともに、前記第３の絶縁層において前記第２の導体および第３の導体の渦巻きの内側に貫通孔を形成し、この貫通孔に磁性材料からなる磁性部を複数設け、さらに前記第２の導体の渦巻きの中心部、前記第３の導体の渦巻きの中心部をそれぞれ複数の磁性部に囲まれた部分に位置させているため、磁性部を設けるための孔の径が小さくて済み、これにより、充填時においてペースト状の磁性材料は表面張力の影響を受けにくくなるため、磁性部の充填量が孔の容積とほぼ同じになり、磁性部の周辺に空間はほとんど生じず、この結果、第１のコイルと第２のコイルとの間を交差する磁界が強くなるため、第１のコイル、第２のコイルのコモンモード成分のインピーダンスを大きくすることができるという効果を奏するものである。
【発明を実施するための最良の形態】
【００１２】
（実施の形態１）
以下、実施の形態１を用いて、本発明の特に請求項１に記載の発明について説明する。
【００１３】
図１は本発明の実施の形態１におけるコモンモードノイズフィルタの分解斜視図、図２は同コモンモードノイズフィルタの斜視図である。
【００１４】
本発明の実施の形態１におけるコモンモードノイズフィルタは、図１に示すように、第１の絶縁層１１の上面に設けられた第１の導体１２と、前記第１の導体１２の上面に設けられた第２の絶縁層１３と、前記第２の絶縁層１３の上面に設けられかつ前記第１の導体１２に接続された渦巻き状の第２の導体１４と、前記第２の導体１４の上面に設けられた第３の絶縁層１５と、前記第３の絶縁層１５の上面に設けられた渦巻き状の第３の導体１６と、前記第３の導体１６の上面に設けられた第４の絶縁層１７と、前記第４の絶縁層１７の上面に設けられかつ前記第３の導体１６に接続された第４の導体１８と、前記第４の導体１８の上面に設けられた第５の絶縁層１９とを備えている。
【００１５】
そして、前記第１の導体１２とこの第１の導体１２に接続された第２の導体１４とにより第１のコイル２０が構成され、かつ第３の導体１６とこの第３の導体１６に接続された第４の導体１８とにより第２のコイル２１が構成されている。
【００１６】
また、前記第１の絶縁層１１、第５の絶縁層１９は磁性体で構成し、かつ第２の絶縁層１３、第３の絶縁層１５、第４の絶縁層１７は非磁性体で構成している。
【００１７】
そしてまた、前記第３の絶縁層１５において第２の導体１４および第３の導体１６の渦巻きの内側に磁性材料からなる磁性部２２を複数設けている。
【００１８】
上記構成において、前記第１の絶縁層１１は、Ｆｅ2Ｏ3をベースとしたフェライト等の磁性材料によりシート状に構成されているもので、絶縁性を有している。
【００１９】
前記第１の導体１２は、銀等の導電材料をめっきすることにより形成されるもので、第１の絶縁層１１の上面に設けられている。また、この第１の導体１２の一端部には、第１の絶縁層１１の側部に露出する第１の引出電極２３が接続されている。
【００２０】
前記第２の絶縁層１３は、Ｃｕ−Ｚｎフェライト、ガラスセラミック等の非磁性材料によりシート状に構成されているもので、絶縁性を有し、かつ第１の導体１２の上面に設けられている。また、この第２の絶縁層１３の中央部には第１のバイア電極２４が形成されている。なお、この第１のバイア電極２４は、第１の導体１２の他端部１２ａと接続されている。
【００２１】
前記第２の導体１４は、渦巻き状に銀等の導電材料をめっきすることにより形成されるもので、第２の絶縁層１３の上面に設けられている。また、この第２の導体１４の一端部には、第２の絶縁層１３の側部に露出する第２の引出電極２５が接続されている。そしてまた、この第２の導体１４の他端部１４ａ、すなわち渦巻きの中心部は第１のバイア電極２４と接続され、これにより、第１のバイア電極２４を介して第１の導体１２の他端部１２ａと第２の導体１４の他端部１４ａとが電気的に接続されるため、第１の導体１２と第２の導体１４は接続されることになり、これにより、第１の導体１２と第２の導体１４とからなる第１のコイル２０が形成される。
【００２２】
前記第３の絶縁層１５は、Ｃｕ−Ｚｎフェライト、ガラスセラミック等の非磁性材料によりシート状に構成されているもので、絶縁性を有し、かつ第２の導体１４の上面に設けられている。
【００２３】
また、前記第３の絶縁層１５を介して上下方向に隣り合う第２の導体１４と第３の導体１６は、互いに磁気的な影響を及ぼし合うため、第１のコイル２０と第２のコイル２１との間で磁気結合することになり、これにより、第１のコイル２０、第２のコイル２１のコモンモード成分のインピーダンスを大きくすることができる。
【００２４】
そしてまた、この第３の絶縁層１５において、その中央部には第２の導体１４および第３の導体１６の渦巻きの内側に位置するように磁性材料からなる磁性部２２が４つ設けられている。そして、この磁性部２２は、第３の絶縁層１５を貫通する孔にＦｅ2Ｏ3をベースとしたフェライト等の磁性材料を充填することにより形成している。また、この磁性部２２は渦巻き状の第２の導体１４および第３の導体１６における最も内側にある導体よりも内側に形成され、かつ第２の導体１４および第３の導体１６とは接触しないように設けられている。
【００２５】
なお、磁性部２２は、複数であれば必ずしも４つ設ける必要はないし、第３の絶縁層１５を貫通させる必要もない。また、磁性部２２の材料として、磁性材料からなる第１の絶縁層１１等と同じ材料を用いれば、コスト面で有利である。さらに、同一の絶縁層には、異なる材料からなる磁性部２２とバイア電極２４、２７の両方を設けないようにすれば、容易に磁性部２２あるいはバイア電極２４、２７を形成することができる。
【００２６】
前記第３の導体１６は、渦巻き状に銀等の導電材料をめっきすることにより形成されるもので、第３の絶縁層１５の上面に設けられている。また、この第３の導体１６の一端部には、第３の絶縁層１５の側部に露出する第３の引出電極２６が接続されている。そしてまた、この第３の導体１６は、その大部分が第２の導体１４と第３の絶縁層１５を介して上面視にて重なるように対向している。
【００２７】
前記第４の絶縁層１７は、Ｃｕ−Ｚｎフェライト、ガラスセラミック等の非磁性材料によりシート状に構成されているもので、絶縁性を有し、かつ第３の導体１６の上面に設けられている。また、この第４の絶縁層１７の中央部には第２のバイア電極２７が形成されている。なお、この第２のバイア電極２７は、第３の導体１６の他端部１６ａすなわち渦巻きの中心部と接続されている。
【００２８】
また、前記第３の絶縁層１５の厚みは、第２の絶縁層１３および第４の絶縁層１７の厚みより厚くなっている。
【００２９】
前記第４の導体１８は、銀等の導電材料をめっきすることにより形成されるもので、第４の絶縁層１７の上面に設けられている。また、この第４の導体１８の一端部には、第４の絶縁層１７の側部に露出する第４の引出電極２８が接続されている。そしてまた、この第４の導体１８の他端部１８ａ、すなわち渦巻きの中心部は第２のバイア電極２７と接続されているもので、これにより、第２のバイア電極２７を介して第３の導体１６の他端部１６ａと第４の導体１８の他端部１８ａとが電気的に接続されるため、第３の導体１６と第４の導体１８は接続されることになり、これにより、第３の導体１６と第４の導体１８とからなる第２のコイル２１が形成される。なお、前記第２の導体１４、第３の導体１６を渦巻き状にすることによって、第１のコイル２０、第２のコイル２１のインピーダンスを大きくすることができる。また、第１のバイア電極２４および第２のバイア電極２７は、それぞれ第２の絶縁層１３を貫通する孔および第４の絶縁層１７を貫通する孔に銀等の導電体を充填することにより構成している。
【００３０】
前記第５の絶縁層１９は、Ｆｅ2Ｏ3をベースとしたフェライト等の磁性材料によりシート状に構成されているもので、絶縁性を有し、かつ第４の導体１８の上面に設けられている。
【００３１】
ここで、前記第２の絶縁層１３、第３の絶縁層１５、第４の絶縁層１７において、非磁性材料としてフェライト系のものを使用すると、第１の絶縁層１１、第５の絶縁層１９とともにフェライト同士となるため、各絶縁層を同時に焼成しても、各絶縁層の接合性が良くなり、安定した製品ができる。
【００３２】
なお、前記第１の絶縁層１１の下面と第５の絶縁層１９の上面にはダミー絶縁層２９が設けられているもので、このダミー絶縁層２９は、シート状に構成され、絶縁性を有しているが、その材料は磁性材料、非磁性材料のどちらで構成しても構わない。また、第１〜第５の絶縁層１１、１３、１５、１７、１９、ダミー絶縁層２９の枚数は、図１に示された枚数に限られるものではない。
【００３３】
そして、上記した構成により、ノイズフィルタ本体部３０が形成される。また、このノイズフィルタ本体部３０の両側面には、第１〜第４の外部電極３１、３２、３３、３４が設けられ、そしてこの第１〜第４の外部電極３１、３２、３３、３４はそれぞれ前記第１〜第４の引出電極２３、２５、２６、２８と接続されている。
【００３４】
上記したように、上下方向に隣り合い互いに磁気的な影響を及ぼし合う第２の導体１４と第３の導体１６は渦巻き状にしているため、互いに磁気的に影響を及ぼす導体の長さは長くなり、さらに、磁性を有する第１の絶縁層１１、第５の絶縁層１９の磁界を効果的に活用でき、この結果、第１のコイル２０と第２のコイル２１のコモンモード成分のインピーダンスが大きくなるものである。
【００３５】
なお、前記第１の導体１２、第４の導体１８の形状は、コモンモードノイズ成分のインピーダンスが小さくならなければ、特に限定されるものではないが、図１に示すような形状にすれば、第１の導体１２、第４の導体１８のディファレンシャル成分のインピーダンスが低くなり、その分だけコモンモード成分のインピーダンスを大きくすることができる。
【００３６】
また、第１〜第４の引出電極２３、２５、２６、２８も銀等の導電材料をめっきすることにより形成するが、この場合、第１〜第４の引出電極２３、２５、２６、２８は、第１〜第４の導体１２、１４、１６、１８と同時に同じ材料で形成するのが好ましい。なお、第１〜第４の導体１２、１４、１６、１８および第１〜第４の引出電極２３、２５、２６、２８は、めっきで形成するのではなく、その他の印刷や蒸着等の方法で形成してもよい。
【００３７】
次に、本発明の実施の形態１におけるコモンモードノイズフィルタの製造方法について説明する。
【００３８】
図１、図２において、まず、それぞれの原材料である磁性材料や非磁性材料の粉体および樹脂からなる混合物により、方形の第１〜第５の絶縁層１１、１３、１５、１７、１９、ダミー絶縁層２９をそれぞれ所定枚数作製する。このとき、第２の絶縁層１３、第４の絶縁層１７の所定箇所に、レーザ、パンチング等で孔あけ加工をし、この孔に銀を充填して、第１、第２のバイア電極２４、２７を形成する。さらに、第３の絶縁層１５の中央部に孔を複数設け、その孔にペースト状の磁性材料を充填し、磁性部２２を複数形成する。
【００３９】
次に、所定枚数のダミー絶縁層２９の上面に、第１の絶縁層１１を配置する。
【００４０】
次に、第１の絶縁層１１の上面に、第１の導体１２および第１の引出電極２３を、めっきによって形成する。
【００４１】
次に、第１の導体１２の上面に、第１のバイア電極２４が設けられた第２の絶縁層１３を配置する。このとき、第１の導体１２の他端部１２ａと第１のバイア電極２４とを接続する。
【００４２】
次に、第２の絶縁層１３の上面に、渦巻き状の第２の導体１４および第２の引出電極２５をめっきによって形成する。このとき、第２の導体１４の他端部１４ａと第１のバイア電極２４とを接続する。
【００４３】
次に、第２の導体１４の上面に、磁性部２２が形成された第３の絶縁層１５を配置する。
【００４４】
次に、第３の絶縁層１５の上面に、渦巻き状の第３の導体１６および第３の引出電極２６をめっきによって形成する。このとき、第２の導体１４、第３の導体１６は、最も内側にある導体よりも内側に磁性部２２が位置するように設ける。
【００４５】
次に、第３の導体１６の上面に、第２のバイア電極２７が設けられた第４の絶縁層１７を配置する。このとき、第３の導体１６の他端部１６ａと第２のバイア電極２７とを接続する。
【００４６】
次に、第４の絶縁層１７の上面に、第４の導体１８および第４の引出電極２８を、めっきによって形成する。このとき、第４の導体１８の他端部１８ａと第２のバイア電極２７とを接続する。
【００４７】
なお、第１の導体１２、第２の導体１４、第３の導体１６、第４の導体１８の形成方法は、別途用意したベース板（図示せず）に所定パターン形状の導体をめっきによって形成し、その後、この導体を各絶縁層に転写することにより形成する。
【００４８】
次に、第４の導体１８の上面に、第５の絶縁層１９を配置し、その後、第５の絶縁層１９の上面に所定枚数のダミー絶縁層２９を配置して、ノイズフィルタ本体部３０を形成する。
【００４９】
なお、上記製造工程において、製造上の効率を向上させるために、各絶縁層に第１の導体１２、第２の導体１４、第３の導体１６、第４の導体１８をそれぞれ複数設けた後、各個片に切断するようにして、同時に複数のノイズフィルタ本体部３０を得るようにしてもよい。
【００５０】
次に、ノイズフィルタ本体部３０を所定の温度、時間で焼成する。
【００５１】
次に、ノイズフィルタ本体部３０の両側面に、第１〜第４の引出電極２３、２５、２６、２８とそれぞれ接続されるように銀を印刷することにより、第１〜第４の外部電極３１、３２、３３、３４を形成する。
【００５２】
最後に、第１〜第４の外部電極３１、３２、３３、３４の表面にめっきによってニッケルめっき層を形成するとともに、さらにこのニッケルめっき層の表面にめっきによってすずやはんだ等の低融点金属めっき層を形成する。
【００５３】
上記した本発明の実施の形態１においては、第１の絶縁層１１の上面に設けられた第１の導体１２と、前記第１の導体１２の上面に設けられた第２の絶縁層１３と、前記第２の絶縁層１３に設けられた第１のバイア電極２４と、前記第２の絶縁層１３の上面に設けられかつ前記第１の導体１２に前記第１のバイア電極２４を介して接続されてこの第１の導体１２とにより第１のコイル２０を構成する渦巻き状の第２の導体１４と、前記第２の導体１４の上面に設けられた第３の絶縁層１５と、前記第３の絶縁層１５の上面に設けられた渦巻き状の第３の導体１６と、前記第３の導体１６の上面に設けられた第４の絶縁層１７と、前記第４の絶縁層１７に設けられた第２のバイア電極２７と、前記第４の絶縁層１７の上面に設けられかつ前記第３の導体１６に前記第２のバイア電極２７を介して接続されてこの第３の導体１６とにより第２のコイル２１を構成する第４の導体１８と、前記第４の導体１８の上面に設けられた第５の絶縁層１９と、前記第１〜第４の導体１２、１４、１６、１８の各々の一端部にそれぞれ接続された第１〜第４の引出電極２３、２５、２６、２８とを備え、前記第１の絶縁層１１および第５の絶縁層１９を磁性体で構成し、かつ前記第２〜第４の絶縁層１３、１５、１７を非磁性体で構成するとともに、前記第３の絶縁層１５において前記第２の導体１４および第３の導体１６の渦巻きの内側に貫通孔を形成し、この貫通孔に磁性材料からなる磁性部２２を複数設け、さらに前記第２の導体１４の渦巻きの中心部、前記第３の導体１５の渦巻きの中心部をそれぞれ複数の磁性部２２に囲まれた部分に位置させているため、磁性部２２を設けるための孔の径が小さくて済み、これにより、充填時においてペースト状の磁性材料は表面張力の影響を受けにくくなるため、磁性部２２の充填量が孔の容積とほぼ同じになり、磁性部２２の周辺に空間はほとんど生じず、この結果、第１のコイル２０と第２のコイル２１との間を交差する磁界が強くなるため、第１のコイル２０、第２のコイル２１のコモンモード成分のインピーダンスを大きくすることができる。また、空間がほとんど生じないため、クラックの防止も図ることができる。
【００５４】
さらに、第１のコイル２０、第２のコイル２１を構成しかつ磁界が発生する第１〜第４の導体１２、１４、１６、１８は非磁性体に設けているため、磁束の漏れを少なくすることができ、これにより、第１のコイル２０と第２のコイル２１との間の磁気結合が強まるため、第１のコイル２０、第２のコイル２１のコモンモード成分のインピーダンスをさらに大きくすることができる。
【００５５】
そして、第１のコイル２０と第２のコイル２１との間、すなわち磁気結合する第２の導体１４と第３の導体１６との間に位置する第３の絶縁層１５に磁性材料を設けることができ、これにより、第１のコイル２０と第２のコイル２１の間を交差する磁界を強めることができるため、第１のコイル２０、第２のコイル２１のコモンモード成分のインピーダンスを大きくすることができる。
【００５６】
このとき、図３に示すように、第２の導体１４の他端部１４ａ、第３の導体１６の他端部１６ａすなわち渦巻きの中心部を、複数の磁性部２２に囲まれた部分に位置させるようにしてもよく、この場合は、第２の導体１４および第３の導体１６の渦巻きの中心部を延長することができるため、延長された導体の長さの分だけ、互いに磁気的に影響を及ぼす導体の長さを長くすることができ、これにより、コモンモード成分のインピーダンスをさらに大きくすることができる。
【００５７】
また、磁性部２２は、第２の導体１４、第３の導体１６の渦巻きの内側のみに設けたが、図４に示すように、磁性部２２を第２の導体１４、第３の導体１６の渦巻きの外側にも設けるようにしてもよい。このとき、磁性部２２は、渦巻き状の第２の導体１４、第３の導体１６の最も外側にある導体よりも外側、すなわち第３の絶縁層１５の周囲部に設けるようにする。これにより、第１のコイル２０、第２のコイル２１の内側だけでなく、外側においても第１のコイル２０と第２のコイル２１の間を交差する磁界を強めることができるため、コモンモード成分のインピーダンスをさらに大きくすることができる。なお、図４において、磁性部２２は第３の絶縁層１５の周囲の４辺に、第３の絶縁層１５から露出するようにそれぞれ設けているが、必ずしも４辺すべてに設ける必要はなく、また第３の絶縁層１５から露出させる必要もない。さらに、第２の導体１４、第３の導体１６を囲むように連続して設けるようにしてもよい。
【００５８】
そしてまた、磁性部２２は、第２の導体１４、第３の導体１６と接触しないように設けたが、図５に示すように、磁性部２２を第２の導体１４、第３の導体１６の一部と上面視にて接触するように設けてもよく、この場合は、磁性部２２の大きさを大きくできるため、コモンモード成分のインピーダンスをさらに大きくすることができる。
【００５９】
ここで、図３〜図５は、説明を簡単にするために、第３の絶縁層１５、第３の導体１６、磁性部２２のみを示す。
【００６０】
また、前記磁性部２２は第３の絶縁層１５のみに設けたが、図６に示すように、磁性部２２を第４の絶縁層１７にも設けるようにしてもよい。このとき、第３の絶縁層１５に設けられた磁性部２２と連続してもよいし、連続しなくてもよく、この場合は、第１のコイル２０と第２のコイル２１の間を交差する磁界をさらに強めることができるため、コモンモード成分のインピーダンスをさらに大きくすることができる。なお、図６においては、磁性部２２を第４の絶縁層１７に設けるようになっているが、第２の絶縁層１３に設けてもよく、あるいは第２の絶縁層１３、第４の絶縁層１７の両方に設けてもよい。
【００６１】
（実施の形態２）
以下、実施の形態２を用いて、本発明の特に請求項２〜４に記載の発明について説明する。
【００６２】
図７は本発明の実施の形態２におけるコモンモードノイズフィルタの分解斜視図である。なお、上記した本発明の実施の形態１の構成と同様の構成を有するものについては、同一符号を付しその説明を省略する。
【００６３】
図７において、上記した本発明の実施の形態１と相違する点は、第４の引出電極２８を、第１の引出電極２３が設けられた第１の絶縁層１１の同一面に設けるようにした点である。なお、図７においては、第４の引出電極２８は第２の絶縁層１３に隠れているため、図示されていない。
【００６４】
この場合は、第２のバイア電極２７を、第２の絶縁層１３および第３の絶縁層１５に設け、かつ第４の導体１８および第４の引出電極２８を第１の絶縁層１１の上面に設けて、第３の導体１６の他端部１６ａと第４の導体１８とを接続する必要がある。また、第１の引出電極２３は、第４の引出電極２８が設けられた第４の絶縁層１７の同一面に設けるようにしてもよく、このようにした場合は、第１の引出電極２３、第４の引出電極２８が同一面内に設けられることになるため、第１の引出電極２３、第４の引出電極２８同士でも磁気結合させることができ、これにより、第１のコイル２０と第２のコイル２１との間の磁気結合が強まるため、コモンモード成分のインピーダンスをさらに大きくすることができる。
【００６５】
また、第１〜第４の引出電極２３、２５、２６、２８のそれぞれの幅は、第１〜第４の導体１２、１４、１６、１８のそれぞれの幅より広くしてもよく、このようにした場合は、第１のコイル２０と第２のコイル２１との磁気結合に関係しない第１〜第４の導体１２、１４、１６、１８の磁気的な影響を低減することができるため、磁気結合する部分のほとんどを互いに磁気的な影響を及ぼし合う第２の導体１４と第３の導体１６とにすることができ、これにより、コモンモード成分のインピーダンスをさらに大きくすることができる。
【００６６】
そしてまた、第１の導体１２および第４の導体１８のそれぞれの幅は、第２の導体１４および第３の導体１６のそれぞれの幅より広くしてもよく、このようにした場合は、第１の導体１２および第４の導体１８で発生するディファレンシャルモード成分のインピーダンスを小さくできるため、その分だけ第１のコイル２０、第２のコイル２１のコモンモード成分のインピーダンスをさらに大きくすることができる。
【００６７】
（実施の形態３）
以下、実施の形態３を用いて、本発明の特に請求項５、６に記載の発明について説明する。
【００６８】
図８は本発明の実施の形態３におけるコモンモードノイズフィルタの分解斜視図である。なお、上記した本発明の実施の形態１の構成と同様の構成を有するものについては、同一符号を付しその説明を省略する。
【００６９】
図８において、上記した本発明の実施の形態１と相違する点は、第２の絶縁層１３、第４の絶縁層１７の厚みを２０μｍ以下とした点である。
【００７０】
このようにした場合、第１の絶縁層１１と第２の導体１４との距離および第５の絶縁層１９と第３の導体１６との距離をそれぞれ短くでき、これにより、磁性体で構成された第１の絶縁層１１および第５の絶縁層１９で発生する磁界を有効に活用できるため、第１のコイル２０、第２のコイル２１のコモンモード成分のインピーダンスを大きくすることができる。このとき、磁性部２２は複数でも、あるいは１個でもよい。
【００７１】
図９は、本発明の実施の形態３におけるコモンモードノイズフィルタにおいて、第２の絶縁層１３および第４の絶縁層１７の厚みと、第１のコイル２０、第２のコイル２１の結合係数との関係を示す図である。
【００７２】
このとき、試料として、第３の絶縁層１５の厚みを２６μｍとした図１に示す構造を備えたコモンモードノイズフィルタを作製した。そして、その結合係数が０．９６以下のものを不良とした。なお、この結合係数が大きいほど、第１のコイル２０、第２のコイル２１のコモンモード成分のインピーダンスを大きくすることができる。
【００７３】
図９から明らかなように、第２の絶縁層１３および第４の絶縁層１７の厚みは２０μｍ以下にする必要があることがわかる。２０μｍより厚いと磁性を有する第１の絶縁層１１、第５の絶縁層１９の磁界を効果的に活用できないからである。なお、第２の絶縁層１３および第４の絶縁層１７の厚みが２０μｍ以下のときは、第３の絶縁層１５の厚みを厚くしても結合係数は高いまま、かつほとんど変動はなかった。
【００７４】
また、第２の絶縁層１３および第４の絶縁層１７の厚みの下限値は、要求される特性に応じて適宜決めればよいが、取り扱い易さを考慮して例えば５μｍ以上とするのが好ましい。
【００７５】
さらに、第３の絶縁層１５の厚みは、第２の絶縁層１３および第４の絶縁層１７の厚みより厚くしているもので、これにより、第３の絶縁層１５を介して設けられた第２の導体１４と第３の導体１６との間、すなわち第１のコイル２０と第２のコイル２１との間で絶縁不良やマイグレーション等が発生するのを防止することができ、かつ第２の絶縁層１３、第４の絶縁層１７の厚みを薄くできるため、第１の絶縁層１１と第２の導体１４との距離、第５の絶縁層１９と第３の導体１６との距離をそれぞれ短くすることができ、これにより、第５の絶縁層１９が磁性体で構成されている場合、磁性体で構成された第１の絶縁層１１、第５の絶縁層１９で発生する磁界を有効に活用できるため、第１のコイル２０、第２のコイル２１のコモンモード成分のインピーダンスを大きくすることができる。
【００７６】
なお、上記本発明の実施の形態１〜３におけるコモンモードノイズフィルタにおいては、第１のコイル２０、第２のコイル２１をそれぞれ１つ設けたが、第１のコイル２０、第２のコイル２１をそれぞれ複数設けたアレイタイプとしてもよい。
【産業上の利用可能性】
【００７７】
本発明に係るコモンモードノイズフィルタは、第１のコイル、第２のコイルのコモンモード成分のインピーダンスを大きくすることができ、携帯電話、情報機器等のノイズ対策として使用されるノイズフィルタ等として有用である。
【図面の簡単な説明】
【００７８】
【図１】本発明の実施の形態１におけるコモンモードノイズフィルタの分解斜視図
【図２】同コモンモードノイズフィルタの斜視図
【図３】同コモンモードノイズフィルタの他の例を示す主要部の斜視図
【図４】同コモンモードノイズフィルタの他の例を示す主要部の斜視図
【図５】同コモンモードノイズフィルタの他の例を示す主要部の斜視図
【図６】同コモンモードノイズフィルタの他の例を示す分解斜視図
【図７】本発明の実施の形態２におけるコモンモードノイズフィルタの分解斜視図
【図８】本発明の実施の形態３におけるコモンモードノイズフィルタの分解斜視図
【図９】同コモンモードノイズフィルタにおいて、第２の絶縁層および第４の絶縁層の厚みと、第１のコイル、第２のコイルの結合係数との関係を示す図
【図１０】従来のコモンモードノイズフィルタの分解斜視図
【符号の説明】
【００７９】
１１  第１の絶縁層
１２  第１の導体
１３  第２の絶縁層
１４  第２の導体
１５  第３の絶縁層
１６  第３の導体
１７  第４の絶縁層
１８  第４の導体
１９  第５の絶縁層
２０  第１のコイル
２１  第２のコイル
２２  磁性部
２３  第１の引出電極
２５  第２の引出電極
２６  第３の引出電極
２８  第４の引出電極
【図１】
0004670262.tif 000002
【図２】
0004670262.tif 000003
【図３】
0004670262.tif 000004
【図４】
0004670262.tif 000005
【図５】
0004670262.tif 000006
【図６】
0004670262.tif 000007
【図７】
0004670262.tif 000008
【図８】
0004670262.tif 000009
【図９】
0004670262.tif 000010
【図１０】
0004670262.tif 000011